(57)【要約】      （修正有）【課題】メッシュ状の網面で庭の小石などのゴミ、土砂や蚊の浸入を防止して、網袋で落葉などのゴミを回収して、排水管への詰まりを防止するために一体化した、枡、会所のゴミ、土砂及び蚊の防止ネットを提供する。【解決方法】建物の外部にある雨水の枡や会所の中に入れて、上蓋の上面の端に巻き込んだり、上蓋の側面や下辺に挟んだり、敷いたりして取り付ける網袋であり、蚊が入らない程度の細かいメッシュ状の網１であり、網布を二つ折りにしてその両側面、及び底辺と上面から下へ、４分の１〜３分の１あたりに、網袋の表面と裏面を糸で縫い合わせたり、接着剤で接着したり、熱で圧着したり４、７して全体を上部の網袋と下部の網袋に分けた袋であって、メッシュ状の網袋の上辺は正方形、長方形、又は円形の形状である。【選択図】図１
0003197921.tif 000002
【実用新案登録請求の範囲】
【請求項１】
建物の外部にある雨水の枡や会所の中に入れて、上蓋の上面の端に巻き込んだり、上蓋の側面や下辺に挟んだり、敷いたりして取り付ける網袋であり、蚊が入らない程度の細かいメッシュ状の網であり、網布を二つ折りにしてその両側面、及び底辺と上面から下へ、４分の１〜３分の１あたりに網袋の表面と裏面を糸で縫い合わせたり、接着剤で接着したり、熱で圧着したりして全体を上部の網袋と下部の網袋に分けた袋である、ゴミ、土砂、及び蚊の防止ネット。
▲１▼  枡や会所の中に入れるメッシュ状の網袋の上辺は正方形、長方形、又は円形の形状であり、網の上辺は上蓋の側面に挟んだり、下に敷いたり、上蓋に下から巻き込んだりするために材質そのままにして使用したり、また、少し伸び、縮みするゴム状の材質にしたり、２〜３重にして強くなるようにしたりして使用する。
▲２▼  網袋の上面から下へ４分の１〜３分の１あたりの網袋の表裏を糸で縫い合わせたり、接着剤で接着したり、熱で圧着したりして上部と下部とを分けることにより上蓋の穴より入る小石、土砂や蚊の進入を上部の網袋で防止する。
▲３▼  枡や会所の内部には縦、横、上、下などいろいろな位置に配水管や排水管があり、建物で異なるために使用する人や施工する人が配水管や排水管の位置にハサミやナイフで縦、横、丸状、ペケ状，プラス状など自由に切れ目を入れて、配水管や排水管に差し込んで固定さすことにより、流れてくる落ち葉や土砂を下部の網袋の中に入れる。
【請求項２】
枡や会所の中へ配水管の先端が伸びてきていない場合は、使用されている既存の配水管の直径と同じ新規の配水管や同じ形状でいろいろな材質でつくった配水管を１０〜１５ｃｍ前後の寸法に切断して、その半分の上側だけをカットして補助の差し込み配水管を作り、既存の配水管にカットした部分の長い方を上にして差し込むことにより、新たに配水管が枡、会所の中へ伸びた形になり、網袋の側面の切れ込み部分を入れることができる、新たな補助の差し込み配水管を作ることを特徴とする、〔請求項１〕記載の枡、会所のゴミ、土砂及び蚊の防止ネット。
【考案の詳細な説明】
【技術分野】
【０００１】本考案は建物の外部にある、雨水の枡や会所に関するものである。
【背景技術】
【０００２】枡や会所に入る落葉などのゴミや庭の小石などを回収する装置は存在しないが、枡や会所の底辺の近くにある排水管へゴミや小石などの侵入を防止する。以上、商品としては存在しないが、消費者が自分の意志で網を加工して施工する。
【先行技術文献】
【０００３】１８〜２４メッシュ状の網を切断して、枡や会所の中の排水菅の入口に立てかけたり、丸めたりして置きゴミや小石などの浸入を防ぐ。また、上記のメッシュ状の網を上蓋の下に置き、上蓋の取っ手の穴や隙間から入る小石、落葉などや蚊の浸入を防止する。以上、商品としては存在しないが、消費者が自分の意志で網を加工して施工する。
【考案の概要】
【０００４】建物の雨水用の枡や会所において落葉などのゴミと庭の小石や土砂などが入ることと、蚊の浸入とは別々の防止方法となるが、本考案はメッシュ状の網面で庭の小石などのゴミ、土砂や蚊の浸入を防止して、網袋で落葉などのゴミを回収して、排水管への詰まりを防止するために一体化した、枡、会所のゴミ、土砂及び蚊の防止ネット。
【考案が解決しようとする課題】
【０００５】雨水の枡や会所へはトユや他の配水管から水と共にいろいろなゴミや土砂が流れてくる。庭の小石や土砂などのゴミが上蓋の穴や隙間から枡や会所の中へ入ってきてたまる。１〜２年に１回は上蓋を開けて清掃しなければならないが汚れる面倒な仕事である。また、枡や会所の中の底辺に近い下段の横の排水管が詰まれば高圧洗浄をしたり、排水管を掘り起こして交換工事などの別途の費用と労力がかかる。【０００６】雨水の枡や会所の下段の横への排水管は、底より少し上の位置にある。そのために底辺には常に水がたまっている場合が多い。蚊が入りボーフラを生み、蚊が発生する場所の一つになっている。
【課題を解決するための手段】
【０００７】本考案は枡や会所の上蓋の上辺の端に下よりかぶせたり、上蓋の側面と枡や会所の上蓋の受け面に挟んだり、敷いたりして固定するメッシュ状の網袋であり、少し伸び、縮みできる材質で作り、上蓋の形が正方形、丸形のどちらにも対応できる柔軟性のある材質の網袋である。【０００８】本考案の網袋は住宅用の網戸などに使用しているメッシュ１８〜２４のポリプロピレン、ポリオレィン、ポリエチレン、ポリエステル、ＥＶＡ樹脂などの樹脂製などでつくり、一枚のメッシュ状の網布を半分に折ってその両端を糸で縫い合わせたり、接着剤で接着したり、熱で圧着したりして筒状にし、更にこれの底辺部を糸で縫い付けたり、接着したり、熱圧着したりして袋状に加工し、加えて、網袋の上辺より下へ４分の１〜３分の１辺りの部分を底辺と並行に糸で縫い合わせたり、接着したり、熱圧着したりした網袋をつくる。更に網面の上辺は網の材質そのままにするか、あるいはゴム状の伸縮する材質で少し伸び縮みするようにしたり、２〜３重にして強くなるようにしたりする。【０００９】枡や会所の中にある配水管の出っ張った口を網袋に差し込むために、トユや配水管の位置に網袋の側面に切れ目をハサミやナイフで入れる。トユや配水管は現場により位置がいろいろと異なるために本考案を施工する人がトユや配水管の位置をみて、縦、横、丸、バツ状にトユや配水管の直径よりやや大き目に網袋をカットする。切れ目を開いてトユや配水管の先端部分に差し込むことにより、トユや配水管から流れてくる落葉などのゴミは網袋の中の下部に入る。
【実施例１】枡や会所の中へトユや配水管の先端が出ている場合、網袋の側面に切れ目を開いてトユや配水管の先端に入れる。
【実施例２】枡や会所の中へトユや配水管の先端が出ておらず，所謂ツライチになっている場合には次の方法で対処する。同じ直径の寸法の配水管やいろいろな材質で作った管を１０〜１５ｃｍ前
0003197921.tif 000003
み配水管を作り、水平にカットした径の長い方を上にして、既存の配水菅へ挿入する。それにより、配水管の先端部分が新たにでき、網袋の切れ目を開けて差し込むことが出来るようになる。
【考案の効果】
【００１０】雨水の枡や会所には落葉や土砂やその他のゴミが集まってくる。いろいろなゴミを本考案の網袋の中に入れて溜めておき、一年に一回ぐらいの期間で網袋を交換する。手を汚さずに簡単な作業でゴミを回収することができる。また、雨水の枡や会所の上蓋に本考案のネットの上辺を挟み込んだり、巻き込んだりという簡単な作業で、上蓋の穴や上蓋の割れ目などの隙間から入ってくる庭の小石や土砂、その他のゴミなどや蚊の浸入を防止する。
【図面の簡単な説明】
【００１１】
【図１】  本考案の正面図
【図２】  本考案の側面図
【図３】  本考案の上からの図
【図４】  本考案の斜め図
【図５】  本考案を会所へセットした図
【図６】  配水管が会所に入ってきている図
【図７】  配水管に網袋を入れた図
【図８】  会所の上蓋の側面に網袋の上辺を当てた図
【図９】  配水管が会所の中へ入って来ていない図
【図１０】  補助の差し込み配水管図  ▲１▼正面図  ▲２▼側面図  ▲３▼全体図
【図１１】  補助の差し込み配水管を既存の配水管に入れた図
【符号の説明】
【００１２】▲１▼メッシュ状の網面、メッシュ１８〜２４のポリプロピレン、ポリオレフィン、ポリエチレン、ポリエステル樹脂
▲２▼枡、会所
▲３▼枡、会所の中へ入れるメッシュ状の網袋
▲４▼熱圧着したり、糸で縫い付けたり、接着したりした部分、
▲５▼網袋の上辺
▲６▼網袋の下辺
▲７▼網袋の上辺から下へ４分の１〜３分の１辺りのところを熱圧着したり、糸で縫い付けたり、接着したりした部分
▲８▼補助の差し込み配水管
▲９▼既存の配水管
▲１０▼枡、会所の上蓋
▲１１▼枡、会所の上蓋の穴
▲１２▼水たまり
【考案を実施するための最良の形態】
【００１３】枡や会所にはいろいろな大きさがある。市販では通常、小、中、大、特大と４種類があり、一般家庭用は大（蓋サイズ３３０ｍｍ角）である。枡や会所の寸法に合わせた上蓋より大きい寸法の網の上面の部分と、下部は枡や会所の内部に合わせた寸法の網袋とする。【００１４】枡や会所の中へ入ってきているトユや配水管の先端部分に、網袋の側面に切れ目を開いて差し込む。枡や、会所には下記の▲１▼、▲２▼、▲３▼、の３種類のトユ及び配水管が入ってきている。水が入ってくるトユや配水管は枡や会所の中段であり、水が出ていく排水管は底に近い下段である。
▲１▼  枡や会所の４側面のうち、１側面にトユ及び配水管があり、他の１側面に排水管がある。
▲２▼  枡や会所の４側面のうち、２側面にトユ及び配水管があり、他の１側面に排水管がある。
▲３▼  枡や会所の４側面のうち、３側面にトユ及び配水管があり、他の１側面に排水管がある。
従って、トユや配水管は１〜３ヶ所である。
一方、枡や会所の中へトユや配水管の先端が出ていない場合は〔０００９〕の〔実施    例２〕の補助の上記の差し込み配水管を作り、既存の配水管に入れて、網袋の側面の    切れ目を開いて差し込む。【００１５】枡や会所の上蓋への網袋の取り付け方は上蓋を開けて、枡や会所の上辺や上蓋の側面に網袋の上辺の端が来るようにして、上蓋の端に下から巻き込んだり、側面に挟んだり、上蓋の受け面に敷いたりして上蓋を取り付ける。コンクリートの会所の上蓋は重いので一方の上蓋の端は会所の端に置いたままで、一方を斜めに半開きにして傾けながら作業して、上蓋を閉じる。
【産業上の利用可能性】
【００１６】ゴミなどが原因で雨水の枡や会所の詰まり、特に横への排水管の詰まりは専門業者にとっても大変厄介で面倒な仕事であって、別途に工事費がかかる。更に、水のあるところには蚊が発生する。夏の蚊は人々を悩まし、デング熱などの病気を媒介する。本考案はこの二つの問題点を防止し、その解消を図ることを目的とした。本考案の網袋を取り付けて、交換するだけという、一般の人にも簡単な作業であり、手を汚さずにできる健全で快適な生活を送るために寄与する装置である。
【図１】
0003197921.tif 000004
【図２】
0003197921.tif 000005
【図３】
0003197921.tif 000006
【図４】
0003197921.tif 000007
【図５】
0003197921.tif 000008
【図６】
0003197921.tif 000009
【図７】
0003197921.tif 000010
【図８】
0003197921.tif 000011
【図９】
0003197921.tif 000012
【図１０】
0003197921.tif 000013
【図１１】
0003197921.tif 000014
【手続補正書】
【提出日】平成27年3月12日(2015.3.12)
【手続補正１】
【補正対象書類名】実用新案登録請求の範囲
【補正対象項目名】全文
【補正方法】変更
【補正の内容】
【実用新案登録請求の範囲】
【請求項１】
建物の外部にある雨水の枡や会所の中に入れて、上蓋の上面の端に巻き込んだり、上蓋の側面や下辺に挟んだり、敷いたりして取り付ける網袋であり、蚊が入らない程度の細かいメッシュ状の網であり、網布を二つ折りにしてその両側面、及び底辺と上面から下へ、４分の１〜３分の１あたりに、網袋の表面と裏面を糸で縫い合わせたり、接着剤で接着したり、熱で圧着したりして全体を上部の網袋と下部の網袋に分けた袋である、ゴミ、土砂、及び蚊の防止ネットにおいて、
（１）枡や会所の中に入れるメッシュ状の網袋の上辺は正方形、長方形、又は円形の形状である、
（２）網袋の上面から下へ４分の１〜３分の１あたりの網袋の表裏を糸で縫い合わせたり、接着剤で接着したり、熱で圧着したりして上部と下部とを分ける、
以上の（１）〜（２）の構成からなることを特徴とする、枡、会所のゴミ、土砂及び蚊の防止ネット。
【請求項２】
枡や会所の中へ配水管の先端が伸びてきていない場合は、使用されている既存の配水管の直径と同じ新規の配水管や同じ形状で、いろいろな材質で作った配水管を１０〜１５ｃｍ前後の寸法に切断して、その半分の上側だけをカットして、補助の差し込み配水管を作り、既存の配水管にカットした部分の長い方を上にして差し込むことにより、新たな配水管が枡、会所の中に伸びた形になり、網袋の側面の切り込み部分を入れることができる、新たな補助の差し込み配水管を特徴とする、請求項１  記載の枡、会所のゴミ、土砂及び蚊の防止ネット。